(57)【要約】【課題】橋脚の経時的な健全性評価が精度良くできる状態監視システム等を提供する。【解決手段】状態監視システム１は、河川橋梁の橋脚３の状態監視を行うもので、加速度センサ１１、タイマー１３、情報処理装置１５を有する。加速度センサ１１は橋脚３の常時微動の加速度を測定し、情報処理装置１５は、測定結果から常時微動のパワースペクトルを算出し、健全性の指標値として、振動数ｆ０から振動数ｆ１までの範囲のパワースペクトル面積と、振動数ｆ０から振動数ｆ１より大きい振動数ｆ２までの範囲のパワースペクトル面積による比をスペクトルスコアとして算出する。【選択図】図２
2015230206.tif 000002
【特許請求の範囲】
【請求項１】
橋脚の状態監視システムであって、
センサと情報処理装置を有し、
前記センサは、前記橋脚の振動情報を測定し、
前記情報処理装置は、
前記振動情報から得られた振動数ごとの振動の大きさを示す波形から、前記橋脚の健全性の指標値として、第１の振動数を上限とする振動数の範囲の前記波形の面積と、前記第１の振動数より大きい第２の振動数を上限とする振動数の範囲の前記波形の面積による比であるスペクトルスコアを算出することを特徴とする状態監視システム。
【請求項２】
前記波形はパワースペクトルの波形であることを特徴とする請求項１記載の状態監視システム。
【請求項３】
前記スペクトルスコアは、第３の振動数から前記第２の振動数までの範囲の前記波形の面積を、前記第３の振動数から前記第１の振動数までの範囲の前記波形の面積で割って算出することを特徴とする請求項１または請求項２記載の状態監視システム。
【請求項４】
前記センサは、前記橋脚の橋軸直交方向の振動情報を測定することを特徴とする請求項１から請求項３のいずれかに記載の状態監視システム。
【請求項５】
前記振動情報の測定時間を定めたタイマーを有することを特徴とする請求項１から請求項４のいずれかに記載の状態監視システム。
【請求項６】
前記橋脚が河川に設けられた橋脚であることを特徴する請求項１から請求項５のいずれかに記載の状態監視システム。
【請求項７】
センサによって測定した橋脚の振動情報から得られた振動数ごとの振動の大きさを示す波形から、前記橋脚の健全性の指標値として、第１の振動数を上限とする振動数の範囲の前記波形の面積と、前記第１の振動数より大きい第２の振動数を上限とする振動数の範囲の前記波形の面積による比であるスペクトルスコアを算出することを特徴とする情報処理装置。
【請求項８】
前記波形はパワースペクトルの波形であることを特徴とする請求項７記載の情報処理装置。
【請求項９】
前記スペクトルスコアは、第３の振動数から前記第２の振動数までの範囲の前記波形の面積を、前記第３の振動数から前記第１の振動数までの範囲の前記波形の面積で割って算出することを特徴とする請求項７または請求項８記載の情報処理装置。
【請求項１０】
橋脚の状態監視方法であって、
情報処理装置が、
センサによって測定した前記橋脚の振動情報から得られた振動数ごとの振動の大きさを示す波形から、前記橋脚の健全性の指標値として、第１の振動数を上限とする振動数の範囲の前記波形の面積と、前記第１の振動数より大きい第２の振動数を上限とする振動数の範囲の前記波形の面積による比であるスペクトルスコアを算出することを特徴とする状態監視方法。
【請求項１１】
コンピュータを、
センサによって測定した橋脚の振動情報から得られた振動数ごとの振動の大きさを示す波形から、前記橋脚の健全性の指標値として、第１の振動数を上限とする振動数の範囲の前記波形の面積と、前記第１の振動数より大きい第２の振動数を上限とする振動数の範囲の前記波形の面積による比であるスペクトルスコアを算出する情報処理装置として機能させるためのプログラム。
【請求項１２】
コンピュータを、
センサによって測定した橋脚の振動情報から得られた振動数ごとの振動の大きさを示す波形から、前記橋脚の健全性の指標値として、第１の振動数を上限とする振動数の範囲の前記波形の面積と、前記第１の振動数より大きい第２の振動数を上限とする振動数の範囲の前記波形の面積による比であるスペクトルスコアを算出する情報処理装置として機能させるためのプログラムを記録した記録媒体。
【発明の詳細な説明】
【技術分野】
【０００１】
本発明は、橋脚の状態監視システム、情報処理装置、状態監視方法、プログラムおよび記録媒体に関する。
【背景技術】
【０００２】
既設の鉄道土木構造物には数多くの橋脚が存在する。これらは経年により劣化をしたものも多く、維持管理の高精度化および効率性向上が求められる。
【０００３】
従来の維持管理手法としては、構造物に振動を付与し、得られたデータから健全性を判断する衝撃振動試験が多く採用されている。例えば重錘によって構造物の表面を打撃し、打撃により生じる振動をセンサ等で検出し、当該振動の固有振動数の変化によって構造物の健全性を評価する（特許文献１）。これにより、目視で発見しづらい欠陥等による劣化も発見できる。
【先行技術文献】
【特許文献】
【０００４】
【特許文献１】特開２００７−５１８７３号公報
【発明の概要】
【発明が解決しようとする課題】
【０００５】
近年、維持管理の高精度化および効率性向上のため、状態監視による手法が注目されている。これは、土木構造物の健全性に影響する測定項目を長期的に状態監視し、構造物が限界状態に至る前に異常を検出し、適切な措置を行うことで構造物の延命化につなげるものである。
【０００６】
一例として、河川橋梁では、地震時の作用に加え、洗掘の作用によっても橋脚安定性が低下する。その洗掘範囲は長期的な外力により徐々に広がる場合が多く、経時的な健全性評価が精度良くできる状態監視手法が望まれる。
【０００７】
この点、従来の衝撃振動試験による評価手法は、測定に時間を要し装置も大掛かりになるので、長期に渡って測定を繰り返し、経時的な健全性評価を行う状態監視には向かない。
【０００８】
本発明は、橋脚の経時的な健全性評価が精度良くできる状態監視システム等を提供することを目的とする。
【課題を解決するための手段】
【０００９】
前述した課題を解決するための第１の発明は、橋脚の状態監視システムであって、センサと情報処理装置を有し、前記センサは、前記橋脚の振動情報を測定し、前記情報処理装置は、前記振動情報から得られた振動数ごとの振動の大きさを示す波形から、前記橋脚の健全性の指標値として、第１の振動数を上限とする振動数の範囲の前記波形の面積と、前記第１の振動数より大きい第２の振動数を上限とする振動数の範囲の前記波形の面積による比であるスペクトルスコアを算出することを特徴とする状態監視システムである。
【００１０】
本発明により、風等による橋脚の常時微動をセンサにより測定した振動情報からスペクトルスコアを算出でき、これを健全性の指標値として橋脚の状態監視ができる。このスペクトルスコアは簡易に測定することができ、橋脚への入力の違いによりばらつきが生じたりすることもなく、経時的な健全性評価を精度良く行うのに適している。
【００１１】
前記波形はパワースペクトルの波形であることが望ましい。
パワースペクトルによって振動数毎のエネルギーの大きさを表現でき、振動数ごとの値の大小も明確に現れる。したがって、パワースペクトルの面積に基づきスペクトルスコアを算出することで、精度良く健全性の評価ができる。
【００１２】
前記スペクトルスコアは、第３の振動数から前記第２の振動数までの範囲の前記波形の面積を、前記第３の振動数から前記第１の振動数までの範囲の前記波形の面積で割って算出することが望ましい。
係るスペクトルスコアは、従来の衝撃振動試験によって得た固有振動数と良好な比例関係にあり、精度良く健全性の評価ができる。
【００１３】
前記センサは、前記橋脚の橋軸直交方向の振動情報を測定することが望ましい。
橋脚の橋軸直交方向の安定性は橋軸方向の走行安全性に特に影響を与える。また、河川橋梁においては橋脚の橋軸直交方向の側方が洗掘され、当該方向の安定性が低下しやすい。従って、橋軸直交方向に注目して橋脚の状態監視を行うことが重要である。
【００１４】
第１の状態監視システムは、前記振動情報の測定時間を定めたタイマーを有することが望ましい。
本発明では、タイマーにより測定時間を定めることで、振動情報の測定を例えば列車等の非運行時とし、風等による橋脚の常時微動からスペクトルスコアの算出ができる。
【００１５】
前記橋脚が河川に設けられた橋脚であることが望ましい。
河川橋梁では橋脚近辺の地盤の洗掘範囲が徐々に広がり、長期的に橋脚安定性が低下する場合が多く、本発明を適用して長期の状態監視を行うのに特に適している。
【００１６】
第２の発明は、センサによって測定した橋脚の振動情報から得られた振動数ごとの振動の大きさを示す波形から、前記橋脚の健全性の指標値として、第１の振動数を上限とする振動数の範囲の前記波形の面積と、前記第１の振動数より大きい第２の振動数を上限とする振動数の範囲の前記波形の面積による比であるスペクトルスコアを算出することを特徴とする情報処理装置である。
前記波形はパワースペクトルの波形であることが望ましい。
前記スペクトルスコアは、第３の振動数から前記第２の振動数までの範囲の前記波形の面積を、前記第３の振動数から前記第１の振動数までの範囲の前記波形の面積で割って算出することが望ましい。
【００１７】
第３の発明は、橋脚の状態監視方法であって、情報処理装置が、センサによって測定した前記橋脚の振動情報から得られた振動数ごとの振動の大きさを示す波形から、前記橋脚の健全性の指標値として、第１の振動数を上限とする振動数の範囲の前記波形の面積と、前記第１の振動数より大きい第２の振動数を上限とする振動数の範囲の前記波形の面積による比であるスペクトルスコアを算出することを特徴とする状態監視方法である。
【００１８】
第４の発明は、コンピュータを、センサによって測定した橋脚の振動情報から得られた振動数ごとの振動の大きさを示す波形から、前記橋脚の健全性の指標値として、第１の振動数を上限とする振動数の範囲の前記波形の面積と、前記第１の振動数より大きい第２の振動数を上限とする振動数の範囲の前記波形の面積による比であるスペクトルスコアを算出する情報処理装置として機能させるためのプログラムである。
【００１９】
第５の発明は、コンピュータを、センサによって測定した橋脚の振動情報から得られた振動数ごとの振動の大きさを示す波形から、前記橋脚の健全性の指標値として、第１の振動数を上限とする振動数の範囲の前記波形の面積と、前記第１の振動数より大きい第２の振動数を上限とする振動数の範囲の前記波形の面積による比であるスペクトルスコアを算出する情報処理装置として機能させるためのプログラムを記録した記録媒体である。
【発明の効果】
【００２０】
本発明により、橋脚の経時的な健全性評価が精度良くできる状態監視システム等を提供することができる。
【図面の簡単な説明】
【００２１】
【図１】状態監視システム１を設けた橋脚３を示す図
【図２】状態監視システム１の構成を示す図
【図３】情報処理装置１５のハードウェア構成を示す図
【図４】橋脚３の状態監視方法の流れを示すフローチャート
【図５】フーリエ振幅スペクトルの例を示す図
【図６】パワースペクトルの例を示す図
【図７】スペクトルスコアと卓越振動数の経時変化を示す図
【図８】スペクトルスコアと卓越振動数の経時変化を示す図
【図９】スペクトルスコアと固有振動数の関係を示す図
【発明を実施するための形態】
【００２２】
以下、図面に基づいて本発明の好適な実施形態について詳細に説明する。
【００２３】
（１．状態監視システム１）
図１は状態監視システム１を設けた橋脚３を示す図であり、図１（ａ）は橋脚３を側方から見た図、図１（ｂ）は橋脚３を上から見た図である。本実施形態に係る状態監視システム１は、橋脚３の状態監視を行うものである。図は河川橋梁の例であり、橋脚３が河川２０内に設けられ水底の地盤３０で支持される。
【００２４】
状態監視システム１は橋脚３上に設けられる。橋脚３は橋桁５を支持し、橋桁５には列車の軌道が設けられる。
【００２５】
状態監視システム１では、橋桁５の軸方向に直交する方向の常時微動を測定することにより、橋脚３の状態監視を行う。常時微動は、例えば風や水流の影響で橋脚３に常時生じる微小振動である。なお、以下では橋桁５の軸方向を橋軸方向といい、橋軸方向に直交する方向を橋軸直交方向というものとする。橋軸方向は図１（ｂ）の左右方向に対応し、橋軸直交方向は図１（ｂ）の上下方向に対応する。
【００２６】
橋軸直交方向の常時微動を測定するのは、当該方向の安定性が列車の走行安全性に特に影響を与えるためである。また、河川橋梁では図１（ｂ）の矢印に示す水流２１によって橋脚基部の橋軸直交方向の側方の地盤３０が洗掘され、橋軸直交方向の安定性が損なわれやすい。従って、橋軸直交方向に注目して橋脚３の状態監視を行うことが重要である。
【００２７】
図２は状態監視システム１の構成を示す図である。状態監視システム１は、加速度センサ１１、タイマー１３、情報処理装置１５等を有し、不図示のバッテリー等で駆動する。
【００２８】
加速度センサ１１は、橋脚３の常時微動の加速度（振動情報）を測定するセンサであり、微小振動を検出可能な精度の高い一軸加速度計が用いられる。加速度センサ１１としては、例えばＭＥＭＳ加速度計を用いることができる。ＭＥＭＳ加速度計を用いることで、安価かつ省電力で駆動することができる。
【００２９】
タイマー１３は、加速度センサ１１により加速度を測定する測定時間の情報が設定されている。本実施形態では、測定時間が列車の非運行時に設定される。
【００３０】
情報処理装置１５は、上記の測定時間において加速度センサ１１を制御し加速度を測定させ、その測定結果に基づいて後述するスペクトルスコアを算出する。算出したスペクトルスコアなど、橋脚３の維持管理に必要な情報はＳＤカード等の記録媒体に記録される。
【００３１】
図３に情報処理装置１５のハードウェア構成を示す。情報処理装置１５は、制御部１５１、記憶部１５２、入力部１５３、メディア入出力部１５４、表示部１５５、通信部１５６等がバス１５７を介して接続されたコンピュータで実現できる。ただし、情報処理装置１５の構成がこれに限ることはない。
【００３２】
制御部１５１は、ＣＰＵ、ＲＯＭ、ＲＡＭ等で構成される。ＣＰＵは、記憶部１５２、ＲＯＭ、記録媒体等に格納された、情報処理装置１５の後述する処理に係るプログラム等をＲＡＭ上のワークメモリ領域に呼び出して実行し、処理を実現する。ＲＯＭは不揮発性メモリであり、プログラムやデータ等を恒久的に保持する。ＲＡＭは揮発性メモリであり、記憶部１５２、ＲＯＭ、記録媒体等からロードしたプログラム、データ等を一時的に保持するとともに、制御部１５１が各種処理を行う為に使用するワークエリアを備える。
【００３３】
記憶部１５２は、ハードディスクドライブやソリッドステートドライブ等であり、制御部１５１が実行するプログラム、プログラム実行に必要なデータ等が格納される。
入力部１５３は、操作指示、動作指示、データ入力等を行うためのものである。
メディア入出力部１５４は、メディアに対しデータの入出力を行う。メディアには、例えばＳＤカード等の記録媒体が用いられる。
【００３４】
表示部１５５は、液晶パネル等のディスプレイ装置、およびディスプレイ装置と連携して表示機能を実現するための論理回路等を有する。
通信部１５６は、ネットワーク等を介した通信を媒介する通信インタフェースである。
バス１５７は、各部間の制御信号、データ信号等の授受を媒介する経路である。
【００３５】
なお、状態監視システム１の構成は上記に限らない。例えば、上記の加速度センサ１１のほか、橋脚３の維持管理に用いるため、列車通過時の比較的大きな振動を検出する加速度センサを追加することも可能である。このセンサには、例えば、微小振動の測定精度は多少落ちるが、２軸または３軸方向の加速度を測定可能なＭＥＭＳ加速度計を用いることができる。
【００３６】
（２．橋脚３の状態監視方法）
次に、状態監視システム１による橋脚３の状態監視方法について説明する。図４は、橋脚３の状態監視方法の流れを示すフローチャートであり、各ステップは情報処理装置１５の制御部１５１が実行する処理である。
【００３７】
本実施形態では、情報処理装置１５が、タイマー１３で設定された測定時間に加速度センサ１１を制御し、橋脚３の振動情報として風等による常時微動の加速度を測定させる。情報処理装置１５は加速度センサ１１から常時微動の加速度を取得する（Ｓ１）。測定時間は前記したように列車の非運行時とし、例えば、列車が運行しない深夜帯の午前２時〜午前４時の間で、３０分ごとに計５回（１回の測定は例えば１６秒間）の測定時間を設定する。
【００３８】
情報処理装置１５は、測定時間における加速度の時間変化の波形を既知の手法で解析し、フーリエ振幅スペクトルを算出する（Ｓ２）。
【００３９】
フーリエ振幅スペクトルは振動数ごとの振動の大きさを振幅で示したものである。フーリエ振幅スペクトルの例を図５に示す。図５（ａ）、（ｂ）は、横軸を振動数、縦軸を振幅として、河川２０内の２つの橋脚３のフーリエ振幅スペクトルを示したグラフである。
【００４０】
情報処理装置１５は、フーリエ振幅スペクトルからパワースペクトルを算出する（Ｓ３）。
【００４１】
パワースペクトルは、簡単に説明すると、振動数ごとの振動の大きさを振幅の２乗で示したものであり、振動数単位での波のエネルギーが表現できる。パワースペクトルの例を図６に示す。図６（ａ）、（ｂ）は、それぞれ図５（ａ）、（ｂ）のフーリエ振幅スペクトルに対するパワースペクトルを、横軸を振動数、縦軸を振幅の２乗値として示したグラフである。図に示すように、パワースペクトルでは、フーリエ振幅スペクトルに比べ値の高低が明確に現れる。
【００４２】
情報処理装置１５は、橋脚３の健全性を示す指標値として、パワースペクトルからスペクトルスコアを算出する（Ｓ４）。
【００４３】
スペクトルスコアは、図６に示すように、振動数ｆ０（第３の振動数）を下限とし、振動数ｆ１（第１の振動数）を上限とする範囲Ａのパワースペクトルの波形の面積と、振動数ｆ０を下限とし、振動数ｆ１より大きい振動数ｆ２（第２の振動数）を上限とする範囲Ｂのパワースペクトルの波形の面積による比で算出される。各振動数は、ｆ０＜ｆ１＜ｆ２を条件として任意に定めることができる。
【００４４】
本実施形態では、範囲Ｂのパワースペクトルの波形の面積を範囲Ａのパワースペクトルの波形の面積で割って比の値を求める。即ち、スペクトルスコアの算出式は下式（１）のように表される。なお、下式（１）のパワースペクトル面積とは、上記したパワースペクトルの波形の面積（波形の積分値）を指す。
［スペクトルスコア］＝（ｆ０〜ｆ２までのパワースペクトル面積）／（ｆ０〜ｆ１までのパワースペクトル面積）…（１）
【００４５】
情報処理装置１５は、例えば、１日５回の測定で得られたそれぞれの常時微動から、上記のようにしてスペクトルスコアを算出し、その平均値を測定日におけるスペクトルスコアとしてＳＤカード等の記録媒体等に記憶する。
【００４６】
本実施形態では以上の手順を繰り返し、経時的にスペクトルスコアを算出することで長期的な橋脚３の状態監視が簡易にできる。さらに、このスペクトルスコアを用いて橋脚３の健全性を判定することも可能である。具体的な例については後述する。
【００４７】
なお、本実施形態では情報処理装置１５にてスペクトルスコアを算出したが、例えば上記したフーリエ振幅スペクトルやパワースペクトルのデータを遠隔の情報処理装置に入力し、当該情報処理装置にてスペクトルスコアの算出を行うことも可能である。その場合には、当該情報処理装置も状態監視システム１に含まれる。
【００４８】
（３．スペクトルスコアの有効性）
本実施形態において、橋脚３の健全性の指標値としてスペクトルスコアを算出したのは、これが橋脚３の状態監視に適し、かつ健全性の指標値として有効であるためである。
【００４９】
すなわち、図５からわかるように、衝撃振動試験とは異なり、常時微動の測定では外乱等によりフーリエ振幅スペクトルに明確な極値が現れないため、固有振動数の特定が困難である。また、常時微動の測定では衝撃振動試験のように入力が一定でなく、入力の変動に測定結果が影響されやすい。例えば入力が大きいと、フーリエ振幅スペクトルの振幅が全体的に大きくなることがある。
【００５０】
そこで、本実施形態では、橋脚３の状態監視に適し、かつ入力の変動の影響を受けず健全性の評価に有効な指標値として、前記したスペクトルスコアを用いた。スペクトルスコアは、パワースペクトル面積を正規化し、パワースペクトルの波形において低振動数の領域がどの程度卓越しているかを表したものであり、入力の変動による振幅の大小の影響を除外できる。
【００５１】
図７（ａ）、（ｂ）はそれぞれ、状態監視期間（約３か月）における河川２０内の橋脚３のスペクトルスコアと卓越振動数の経時変化を、横軸を測定日、縦軸をスペクトルスコアまたは卓越振動数として示す図である。卓越振動数はスペクトルスコアとの比較のため求めた値であり、フーリエ振幅スペクトルにおいて振幅が最大となる振動数である。
【００５２】
図７（ａ）、（ｂ）から、同じ橋脚３であっても、卓越振動数では測定日ごとの変動が大きく安定しない一方、スペクトルスコアでは変動が比較的小さく、安定した値となる傾向が確認できる。
【００５３】
図８（ａ）、（ｂ）はそれぞれ、河川２０内の別の２つの橋脚３について、スペクトルスコアと卓越振動数の経時変化を図７と同様に示したグラフである。この２つの橋脚３は、衝撃振動試験による固有振動数が異なっており、それぞれ７．９Ｈｚ（橋脚ａ）と４．４Ｈｚ（橋脚ｂ）である。
【００５４】
図８（ａ）、（ｂ）から、固有振動数が異なる橋脚３間を比較すると、スペクトルスコアは固有振動数と同様に異なるのに対し、卓越振動数は値が近く、スペクトルスコアのほうが固有振動数の大小をよく表現できていることがわかる。
【００５５】
図９はスペクトルスコアと衝撃振動試験による固有振動数との関係を示す図であり、河川２０内の複数の橋脚３の各々のスペクトルスコアと固有振動数を、横軸を固有振動数、縦軸をスペクトルスコアとしてプロットしたグラフである。なお、スペクトルスコアの算出時には前記のｆ０、ｆ１、ｆ２の値をそれぞれ１Ｈｚ、４Ｈｚ、２０Ｈｚとした。
【００５６】
図９より、スペクトルスコアと固有振動数の間には良好な比例関係が存在することがわかる。
【００５７】
このように、スペクトルスコアは従来の衝撃振動試験による固有振動数との間に良好な比例関係を有しており、その大小関係を適切に表現でき、かつ値の変動が小さい。従って、スペクトルスコアを指標値とした状態監視によって、固有振動数と同じように橋脚の健全性を精度良く定量的に評価できるといえる。
【００５８】
（４．橋脚３の健全性の判定）
状態監視時には、情報処理装置１５、あるいは前記した遠隔の情報処理装置等により、スペクトルスコアを用いた健全性の判定が可能である。
【００５９】
例えばスペクトルスコアの基準値を予め定めておくことで、基準値との比較により健全性の判定が可能である。スペクトルスコアが基準値を下回った場合には異常とし、例えば所定の警報装置（不図示）などでアラーム音や警告表示等の警報を発する。これに応じて、衝撃振動試験等による詳細な点検や補修を行うことができる。
【００６０】
上記の基準値は、衝撃振動試験時の固有振動数との関係から定めることができる。例えば橋脚３の安定性に係る固有振動数の標準値が４．０Ｈｚである場合、図９の比例関係から対応するスペクトルスコアが１．０程度であることがわかるので、これをスペクトルスコアの基準値として用いることが可能である。
【００６１】
その他、スペクトルスコアの低減度合いが大きい場合に、異常の恐れありと判定することもできる。例えば図７（ａ）のＣに示すように、一定期間のスペクトルスコアの経時変化を近似した近似線を算出し、当該近似線Ｃの傾きが負の所定値を下回る場合に、健全性の低減度合いが大きく、異常の恐れありと判定できる。
【００６２】
あるいは、直近の一定期間と、過去の一定期間のそれぞれでスペクトルスコアの平均値等の代表値を求め、直近の一定期間の代表値が過去の一定期間の代表値に比べ所定値以上低下していた場合に、同じく異常の恐れありと判定することもできる。
【００６３】
以上説明したように、本実施形態の状態監視システム１によれば、風等による橋脚３の常時微動からスペクトルスコアを算出でき、これを健全性の指標値として橋脚３の状態監視ができる。このスペクトルスコアは簡易に測定することができ、橋脚３への入力の違いによりばらつきが生じたりすることもなく、経時的な健全性評価を精度良く行うのに適している。
【００６４】
また、本実施形態ではパワースペクトルによって振動数毎のエネルギーの大きさを表現でき、振動数ごとの値の大小も明確に現れる。したがって、パワースペクトル面積に基づきスペクトルスコアを算出することで、精度良く健全性の評価ができる。ただし、図５のようなフーリエ振幅スペクトルからスペクトルスコアと同様の値を指標値として算出することも可能である。
【００６５】
また、本実施形態では、前記の式（１）により、従来の衝撃振動試験による固有振動数と良好な比例関係にあるスペクトルスコアを算出し、橋脚３の健全性を精度良く評価できる。ただし、スペクトルスコアとしては低振動数領域の卓越度合いを表現できればよく、必要に応じて、式（１）の右辺の逆数を用いたり、振動数ｆ１までの任意の範囲のパワースペクトル面積と振動数ｆ２（＞ｆ１）までの任意の範囲のパワースペクトル面積による比とするなどの変更は可能である。
【００６６】
加速度センサ１１は橋軸直交方向の加速度を測定するので、橋軸方向の走行安全性に特に影響を与える橋軸直交方向の安定性の状態監視を好適に行える。また、河川橋梁においては橋脚３の橋軸直交方向の側方が洗掘され、当該方向の安定性が低下しやすく、この点においても橋軸直交方向の状態監視が重要である。ただし、必要に応じて橋軸方向の常時微動を測定することも可能である。
【００６７】
また、状態監視システム１ではタイマー１３によって測定時間を定めるので、測定時間を列車等の非運行時とし、風等による橋脚３の常時微動からスペクトルスコアの算出ができる。例えば列車等の走行時の振動を測定する場合は列車等の違いにより結果が大きくばらつく可能性があり、また異常時等に列車運行が不可能になった場合に測定ができなくなるが、本実施形態ではそのような恐れもない。
【００６８】
また、本実施形態では状態監視対象の橋脚として河川橋梁の橋脚３の例を挙げて説明したが、これに限らず、高架橋の橋脚などでもよい。ただし、河川橋梁では橋脚近辺の地盤の洗掘範囲が徐々に広がり、長期的に安定性が低下する場合が多く、本発明を適用して長期の状態監視を行うのに特に適している。
【００６９】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００７０】
１；状態監視システム
３；橋脚
５；橋桁
１１；加速度センサ
１３；タイマー
１５；情報処理装置
２０；河川
２１；水流
３０；地盤
【図１】
2015230206.tif 000003
【図２】
2015230206.tif 000004
【図３】
2015230206.tif 000005
【図４】
2015230206.tif 000006
【図５】
2015230206.tif 000007
【図６】
2015230206.tif 000008
【図７】
2015230206.tif 000009
【図８】
2015230206.tif 000010
【図９】
2015230206.tif 000011